(57)【要約】【課題】携帯使用を目的とした撮像装置において、表示画像の視認性、操作性、携帯性の両立と、機器のコスト低減を図ること。【解決手段】撮影手段と、前記撮影手段による撮影画像を記録する画像記録手段と、前記撮影手段による撮影画像及び前記画像記録手段から出力された記録画像を表示する画像表示手段と、前記画像表示手段に設けられた外光遮蔽手段と、前記外光遮蔽手段に設けられた機器操作手段とを含んで撮像装置を構成する。又、撮影手段と、前記撮影手段による撮影画像を記録する画像記録手段と、前記撮影手段による撮影画像及び前記画像記録手段から出力された記録画像を表示する画像表示手段と、前記画像表示手段に設けられた外光遮蔽手段とを有し、前記外光遮蔽手段に機器の動作状態を表示する機器動作表示手段が設けられたことを特徴とする。【選択図】図１
2006025095.tif 000002
【特許請求の範囲】
【請求項１】
撮影手段と、前記撮影手段による撮影画像を記録する画像記録手段と、前記撮影手段による撮影画像及び前記画像記録手段から出力された記録画像を表示する画像表示手段と、前記画像表示手段に設けられた外光遮蔽手段と、前記外光遮蔽手段に設けられた機器操作手段とを有することを特徴とする撮像装置。
【請求項２】
前記外光遮蔽手段は、前記画像表示手段に収納可能であることを特徴とする請求項１記載の撮像装置。
【請求項３】
前記機器操作手段は、前記画像表示手段と電気的接続状態に構成されたことを特徴とする請求項１記載の撮像装置。
【請求項４】
撮影手段と、前記撮影手段による撮影画像を記録する画像記録手段と、前記撮影手段による撮影画像及び前記画像記録手段から出力された記録画像を表示する画像表示手段と、前記画像表示手段に設けられた外光遮蔽手段とを有し、前記外光遮蔽手段に機器の動作状態を表示する機器動作表示手段が設けられたことを特徴とする撮像装置。
【請求項５】
前記外光遮蔽手段は、前記画像表示手段に収納可能であることを特徴とする請求項４記載の撮像装置。
【請求項６】
前記機器動作表示手段は、前記画像表示手段と電気的接続状態に構成されたことを特徴とする請求項４記載の撮像装置。
【発明の詳細な説明】
【技術分野】
【０００１】
本発明は、撮像装置に関するものである。
【背景技術】
【０００２】
一般的に撮像手段を有する携行機器には、撮影画像や記録画像を確認するための画像表示部と、画像の記録／再生を行う操作ボタン類が設けられている。特に、ビデオカメラやデジタルカメラ等の撮影機能に重点が置かれた機器においては、画像視認性の高い大型液晶ディスプレイと外光遮蔽性を持つビューファインダーの両者が備えられると同時に、撮影機能を強化するための操作ボタン類が本体各所に配置されており、画像記録／再生における各種操作を補完し機器の利便性を高めている。このような携帯型撮像装置の一例を図５及び図６に示す。
【０００３】
図５及び図６において、２０１は装置本体、２０２は画像を表示する液晶ディスプレイ部、２０３は拡大光学系を備えたビューファインダー部、２０４は撮影開始／停止ボタン、２０５は撮影画像の倍率変更を行うズームボタン、２０６は画像再生を制御する再生ボタン、２０７は各種設定等を行う操作ボタンである。
【０００４】
本体２０１に設けられた液晶ディスプレイ部２０２及びビューファインダー部２０３には、撮影画像又は再生画像が選択的に表示される。液晶ディスプレイ部２０２は、本体２０１に対して回転可能に設置されており、撮影状況に応じてディスプレイの角度を回転調整することで、自由度の高い撮影姿勢を取ることが可能である。又、ビューファインダー部２０３には外光遮蔽性を持つアイカップ２０３ａが設けられており、太陽光等の外光照射によって液晶ディスプレイ部２０２の画像視認性が著しく悪化する場合には、ビューファインダー部２０３を用いることで良好な画像確認を行うことができる。
【０００５】
液晶ディスプレイ部２０２の近傍には再生ボタン類２０６が設置されており、液晶ディスプレイ部２０２に表示される画像を確認しながら再生動作を制御することができる。又、本体２０１の後部には操作ボタン類２０７が配置され、特殊な画像処理やマニュアル機能の選択を行うことができる。
【０００６】
【特許文献１】特開平１０−１５５１００号公報
【発明の開示】
【発明が解決しようとする課題】
【０００７】
上記構成の撮像装置においては、液晶ディスプレイとビューファインダーが併設されているため、ユーザーは状況に応じて両者を選択使用できる。又、本体各所に設けられたスイッチ類を操作することで、撮影／再生における補助機能を必要に応じて利用することができる。
【０００８】
しかし、その反面、複数の画像表示部の設置に伴い、表示装置を構成する部品点数の増大、表示部配置領域の確保に伴う本体の大型化、表示切り替え手段の設置等による構造の複雑化等の不具合が発生していた。又、機能強化のために設けられた各種スイッチ類が、小型化された本体の狭小領域に分散して配置されているため、スイッチ位置の把握が困難となり、機器全体の操作性の悪化に繋がっていた。
【０００９】
本発明は上記の問題に鑑みてなされたものであり、携帯使用を目的とした撮像装置において、表示画像の視認性、操作性、携帯性の両立と、機器のコスト低減を図ることを目的とするものである。
【課題を解決するための手段】
【００１０】
上記目的を達成するため、本発明は、撮影手段と、前記撮影手段による撮影画像を記録する画像記録手段と、前記撮影手段による撮影画像及び前記画像記録手段から出力された記録画像を表示する画像表示手段と、前記画像表示手段に設けられた外光遮蔽手段と、前記外光遮蔽手段に設けられた機器操作手段とを含んで撮像装置を構成したことを特徴とする。
【００１１】
又、本発明は、撮影手段と、前記撮影手段による撮影画像を記録する画像記録手段と、前記撮影手段による撮影画像及び前記画像記録手段から出力された記録画像を表示する画像表示手段と、前記画像表示手段に設けられた外光遮蔽手段とを有し、前記外光遮蔽手段に機器の動作状態を表示する機器動作表示手段が設けられたことを特徴とする。
【発明の効果】
【００１２】
本発明の撮像装置によれば、ビューファインダーの廃止と操作系の集中配置が可能となるため、機器の大幅な小型化とコストダウン、更には操作性の向上を図ることができる。
【発明を実施するための最良の形態】
【００１３】
以下に本発明の実施の形態を添付図面に基づいて説明する。
【００１４】
図１及び２は本発明の撮像装置の概略を示している。同図において、１０１は撮像装置の本体、１０２は液晶ディスプレイ部、１０３は表示画面、１０４はフード、１０５は各種操作ボタン、１０６は撮影開始／停止ボタン、１０７は撮影画像の倍率変更を行うズームボタン、１０８は画像記録を行う記録メディア格納部である。
【００１５】
装置本体１０１の側面には液晶ディスプレイ部１０２が設置されており、本体１０１に対し回転及び収納可能な状態に取り付けられている。液晶ディスプレイ部１０２には表示画面１０３が設けられており、撮影画像及び記録画像が選択的に表示される。表示画面１０３の周囲にはフード１０４が設けられており、フード上面部１０４ａ及び側面部１０４ｂで構成されている。フード１０４の側面部１０４ｂは内側に折り込み可能となっており、フード上面部１０４ａを表示画面１０３側に押圧回転することでフード全体を液晶ディスプレイ部１０２に収納することができる。フード上面部１０４ａの外観部には、操作ボタン１０５が集中的に配置されている。
【００１６】
次に、図３及び図４を用いて、操作ボタン１０５を具備するフード上面部１０４ａとその周辺部の構造を説明する。図３はフード上面部１０４ａの内部要素の概略を示し、図４はフード上面部１０４ａ及びその周辺部の断面を示している。
【００１７】
同図において、１０４ｃ及び１０４ｄはそれぞれフード上面部１０４ａの上カバー及び下カバー、１０９はフード上面部１０４ａ内のＦＰＣ部、１１０は電気スイッチ、１１１は液晶ディスプレイ１０２内に配置された回路基板である。
【００１８】
前述したフード上面部１０４ａは、上下カバー１０４ｃ及び１０４ｄで構成されており、１０４ｃには操作ボタン１０５が外観側から押圧可能に取り付けられている。操作ボタン１０５が使用者によって押圧されると、操作ボタン１０５の直下にある電気スイッチ１１０が動作する。電気スイッチ１１０は、フード上面部１０４ａ内部に設けられたＦＰＣ部１０９に実装されており、液晶ディスプレイ部１０２内の回路基板１１１とコネクター等で電気的に接続されている。電気スイッチ１１０から出力された電気信号は、ＦＰＣ部１０９と回路基板１１０を介して本体１０１内部のシステム制御部に伝達され、本体動作の制御を行う。
【００１９】
以上のように、本実施の形態では表示画面の周囲に外光遮蔽用のフードを設けることで、撮影状況に関わらず液晶ディスプレイの画像視認性を確保することができ、外光が表示部に直射するような状況では必須であったビューファインダーを廃止することができる。又、フード外観部には操作ボタンが集中的に配置されており、本体各所に操作系が分散するのを防ぐとともに、画像視認状態でのボタンの操作性を高めている。
【００２０】
尚、本実施の形態では、外光遮蔽手段であるフードの外観部に操作ボタン類のみを配置しているが、同時に本体電源のＯＮ／ＯＦＦや記録メディアの書き込み／読み出し等を表示する発光ＬＥＤ、或は音声レベルやバッテリー残量等を表示する補助液晶画面等、機器の動作状況を示す動作表示手段を設けても良い。この場合、上述したような動作表示手段の配置領域を本体から排除できるので、本体構成要素の配置効率を向上することができ、機器の一層の小型化及びコストダウンが可能となる。更に、本体に分散配置された表示系を外光遮蔽手段に集中配置できるため、機器の操作性の向上を図ることができる。
【図面の簡単な説明】
【００２１】
【図１】本発明に係る撮像装置の外観を示す斜視図である。
【図２】本発明に係る撮像装置の外観を示す斜視図である。
【図３】本発明に係る撮像装置の構成の一部を示す斜視図である。
【図４】本発明に係る撮像装置の構成の一部を示す断面図である。
【図５】従来の撮像装置の斜視図である。
【図６】従来の撮像装置の斜視図である。
【符号の説明】
【００２２】
１０１  装置本体
１０２  液晶ディスプレイ部
１０３  表示画面
１０４  フード
１０４ａ  フード上面部
１０４ｂ  フード側面部
１０４ｃ  フード上面部の上カバー
１０４ｄ  フード上面部の下カバー
１０５  操作ボタン
１０６  撮影開始／停止ボタン
１０７  ズームボタン
１０８  記録メディア格納部
２０１  装置本体
２０２  液晶ディスプレイ部
２０３  ビューファインダー部
２０３ａ  アイカップ
２０４  撮影開始／停止ボタン
２０５  ズームボタン
２０６  再生ボタン
２０７  操作ボタン
【図１】
2006025095.tif 000003
【図２】
2006025095.tif 000004
【図３】
2006025095.tif 000005
【図４】
2006025095.tif 000006
【図５】
2006025095.tif 000007
【図６】
2006025095.tif 000008